(57)【特許請求の範囲】
【請求項１】
互いに直交する前後方向及び幅方向と、
着用者の股下に位置する中央域と、
前記中央域よりも後側に位置する後側域と、
少なくとも前記中央域に配置される吸収体と、を有し、
前記吸収体は、前記幅方向における前記中央域の中央部に、前記幅方向における前記中央域の両端部の厚みよりも厚い中高部と、前記中高部を挟んで両側で前記前後方向に延びる圧搾部と、を有し、
前記吸収体は、液体を吸収する吸収材料からなる吸収コアと、前記吸収コアを包むコアラップと、を有し、
前記コアラップは、前記吸収コアの肌面側に設けられた第１ラップシートと、前記吸収コアの非肌面側に設けられた第２ラップシートと、を有し、
前記幅方向における前記第１ラップシートの端部は、前記幅方向における前記吸収コアの端部のところで前記吸収コアの非肌面側に折り返されて、前記吸収コアの非肌面側で前記第２ラップシートと重なっており、
前記第１ラップシートの前記端部は、前記吸収コアの非肌面側で、前記圧搾部の位置に達しており、前記幅方向における前記吸収性物品の中心を結ぶ中心線よりも前記幅方向の外側に位置する、吸収性物品。
【請求項２】
前記吸収体は、前記中央域と前記後側域との間で、前記幅方向に沿って延びる第１低目付領域を有し、
前記第１低目付領域は前記中高部に隣接している、請求項１に記載の吸収性物品。
【請求項３】
前記吸収体よりも非肌面側に設けられた非肌面シートと、
前記非肌面シートの非肌面側に設けられた粘着領域と、を有し、
前記粘着領域は、前記吸収体の非肌面側における前記第１ラップシートと前記第２ラップシートとの重複領域に存在し、前記中高部の最も厚みが大きい部分に達していない、請求項１又は２に記載の吸収性物品。
【請求項４】
前記吸収体は、前記中央域と前記後側域との間で、前記幅方向に沿って延びる第１低目付領域を有し、
前記粘着領域は、少なくとも前記中央域及び前記後側域で前記前後方向に延びており、前記第１低目付領域のところで互いに分断されている、請求項３に記載の吸収性物品。
【請求項５】
前記吸収体は、前記中央域と前記後側域との間で前記幅方向に沿って延びる第１低目付領域と、前記後側域において前記中心線に沿った第２低目付領域と、を有し、
前記第２低目付領域は、前記第１低目付領域と繋がっている、請求項１から４のいずれか１項に記載の吸収性物品。
【請求項６】
前記吸収体は、前記後側域において、前記第２低目付領域を挟んで両側に設けられた一対の長手圧搾部を有し、
前記一対の長手圧搾部は、前記第１低目付領域に達しないように前記前後方向に延びている、請求項５に記載の吸収性物品。
【請求項７】
前記第１ラップシートの前記端部は、前記吸収コアの非肌面側で、前記中高部の最も厚みが大きい部分に達していない、請求項１から６のいずれか１項に記載の吸収性物品。
【発明の詳細な説明】
【技術分野】
【０００１】
本発明は、例えば生理用ナプキンのような吸収性物品に関する。
【背景技術】
【０００２】
特許文献１は、肌当接面を形成する表面シートと、非肌当接面を形成する裏面シートと、吸収体と、を備えた生理用ナプキンを開示している。吸収体は、表面シートと裏面シートとの間に設けられている。表面シートは、吸収体よりも肌当接面側に配置されている。生理用ナプキンの幅方向における表面シートの両端部、すなわち生理用ナプキンの長手方向に沿う両端部は、吸収体の端部のところで、吸収体の非肌当接面側へ折り返されている（特許文献１の図２）。この表面シートの両端部は、吸収体よりも非肌当接面側で、裏面シートに固定されている。
【０００３】
吸収体は、着用者の排泄口に対向する排泄部対向部に、その周辺部の厚みよりも厚い中高部を有している。吸収体は、生理用ナプキンの幅方向において吸収体の中高部に隣接する位置に、生理用ナプキンの長手方向に延びる線状の溝部を有する。
【先行技術文献】
【特許文献】
【０００４】
【特許文献１】特開２０１１−１２０６９７号
【発明の概要】
【発明が解決しようとする課題】
【０００５】
着用者が、生理用ナプキンのような吸収性物品が取り付けられたショーツを履いたとき、排泄部対向部は、着用者の両脚から、吸収性物品を幅方向に圧縮するような力を受ける。この力により、吸収体の中高部が、着用者の排泄部及びその周辺部に向けて凸状に変形し、それによって中高部が着用者の身体に密着する。これにより、着用者からの体液（例えば経血）の漏れが抑制されるとともに、身体にフィットしているという安心感も得られる。
【０００６】
しかしながら、生理用ナプキンのような吸収性物品では、体液の漏れをさらに防止できるようにして欲しいというニーズや、吸収性物品が身体によりフィットしているという安心感を得たいというニーズが存在する。
よって、少なくとも排泄部対向部において吸収性物品が身体によりフィットし、より高い安心感を得ることができる吸収性物品が望まれる。
【課題を解決するための手段】
【０００７】
吸収性物品は、互いに直交する前後方向及び幅方向と、着用者の股下に位置する中央域と、前記中央域よりも後側に位置する後側域と、少なくとも前記中央域に配置される吸収体と、を有し、前記吸収体は、前記幅方向における前記中央域の中央部に、前記幅方向における前記中央域の両端部の厚みよりも厚い中高部と、前記中高部を挟んで両側で前記前後方向に延びる圧搾部と、を有し、前記吸収体は、液体を吸収する吸収材料からなる吸収コアと、前記吸収コアを包むコアラップと、を有し、前記コアラップは、前記吸収コアの肌面側に設けられた第１ラップシートと、前記吸収コアの非肌面側に設けられた第２ラップシートと、を有し、前記幅方向における前記第１ラップシートの端部は、前記幅方向における前記吸収コアの端部のところで、前記吸収コアの非肌面側に折り返されて、吸収コアの非肌面側で第２ラップシートと重なっており、前記第１ラップシートの前記端部は、前記吸収コアの非肌面側で、前記圧搾部の位置に達しており、前記幅方向における前記吸収性物品の中心を結ぶ中心線よりも前記幅方向の外側に位置する。
【発明の効果】
【０００８】
本発明によれば、少なくとも排泄部対向部において吸収性物品が身体によりフィットし、より高い安心感を得ることができる。
【図面の簡単な説明】
【０００９】
【図１】図１は、一実施形態における吸収性物品の平面図である。
【図２】図２は、図１とは反対側から見た吸収性物品の平面図である。
【図３】図３は、図１の３Ａ−３Ａ線に沿った吸収性物品の断面図である。
【図４】図４は、一実施形態における吸収体の平面図である。
【図５】図５は、図１の５Ａ−５Ａ線に沿った吸収性物品の断面図である。
【図６】図６は、図１の６Ａ−６Ａ線に沿った吸収性物品の断面図である。
【図７】図７は、使用中の吸収性物品の、図１の５Ａ−５Ａ線に沿った模式的断面図である。
【図８】図８は、使用中の吸収性物品の、図１の８Ａ−８Ａ線に沿った模式的断面図である。
【発明を実施するための形態】
【００１０】
以下、図面を参照して、実施形態に係る吸収性物品ついて説明する。吸収性物品は、膣口に沿わせてフィットさせるような生理用ナプキンや失禁パッド等の任意の吸収性物品であってよい。以下の実施形態では、吸収性物品の一例として使い捨ての生理用ナプキンについて説明する。
【００１１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００１２】
（１）吸収性物品の全体的構成
図１は、一実施形態における吸収性物品の平面図である。図２は、図１とは反対側から見た吸収性物品の平面図である。図３は、図１の３Ａ−３Ａ線に沿った吸収性物品の断面図である。
【００１３】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００１４】
吸収性物品１は、中央域Ｓ１、前側域Ｓ２及び後側域Ｓ３を有する。中央域Ｓ１は、着用者の排泄口、例えば膣口に対向する領域である。吸収性物品１が下着に装着されたときに、中央域Ｓ１は下着の股下部に位置する。つまり、中央域Ｓ１は、着用者の股下、すなわち着用者の両足の間に配置される領域である。
【００１５】
前側域Ｓ２は、中央域Ｓ１よりも前側に位置する。前側域Ｓ２の前端縁は吸収性物品１の前端縁９１を規定する。後側域Ｓ３は、中央域Ｓ１よりも後側に位置する。後側域Ｓ３の後端縁は吸収性物品１の後端縁９２を規定する。後側域Ｓ３の前後方向Ｌの長さは、中央域Ｓ１の前後方向Ｌの長さよりも長くなっていてよい。これにより、着用者の臀部を包み込む吸収性物品を提供することができ、着用者に長時間着用できるという安心感を与えることができる。
中央域Ｓ１には、後述するウイング３が設けられていてよい。また、後側域Ｓ３には、幅方向Ｗの外側に膨らんだヒップフラップ４が設けられていてよい。
【００１６】
ウイング３の前端縁は、ウイング３の付け根によって規定されており、最も幅方向Ｗの内側に窪んだ２つの部分のうち、前側に位置する部分に相当する。ウイング３の前端縁は、中央域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。この場合、ウイング３は、最も幅方向Ｗの内側に窪んだ２つの部分を結ぶ前後方向Ｌに沿ったラインを基点に折り返し易くなる。
【００１７】
ウイング３の後端縁は、中央域Ｓ１と後側域Ｓ３との間に位置していてよい。ここでは、前後方向Ｌにおけるウイング３の前端縁とウイング３の後端縁との間の領域を「ウイング域」と称することがある。ウイングを有する吸収性物品では、中央域Ｓ１は、ウイング域と実質的に同じ領域となる。したがって、本明細書において、「中央域Ｓ１」との語は、「ウイング域」と読み替えることができることに留意すべきである。
【００１８】
吸収性物品１は、肌面シート１０、非肌面シート２０及び吸収体３０を有する。吸収体３０は、肌面シート１０と非肌面シート２０との間に設けられる。肌面シート１０は、表面シート１１及びサイドシート１２を有していてよい。表面シート１１は、体液等の液体を透過する液透過性のシートである。表面シート１１は、幅方向Ｗにおける吸収体３０の中央部を覆う。
【００１９】
表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２０】
サイドシート１２は、幅方向Ｗにおける表面シート１１の外側縁を覆い、表面シート１１よりも幅方向Ｗの外側へ延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００２１】
サイドシート１２は、表面シート１１と同様の材料から構成することができる。ただし、表面シート１１に付着した体液が、サイドシート１２を乗り越えて、幅方向Ｗにおいて吸収性物品１の外側へ漏れ出すことを防止するためには、サイドシート１２は、疎水性又は撥水性を有することが好ましい。サイドシート１２は、幅方向Ｗにおける吸収体３０の外側縁、ウイング３及びヒップフラップ４に配置されていることが好ましい。この場合、幅方向Ｗの外側から液体の漏れを抑制することができる。
【００２２】
表面シート１１と吸収体３０との間には、不図示のセカンドシートを有していてよい。このセカンドシートは、体液等の液体を透過する液透過性のシートである。好ましくは、セカンドシートの親水度は表面シート１１の親水度よりも高い。具体的には、セカンドシートの親水度は、少なくとも後述する第１低目付領域４１において、表面シート１１の親水度よりも高ければよい。これにより、少なくとも後述する第１低目付領域４１において、セカンドシートは表面シート１１を介して体液を吸収体３０側へ引き込むことができる。したがって、表面シート１１をなるべく乾いた状態に保つことができ、着用者の不快感を軽減することができる。
【００２３】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２４】
吸収体３０は、少なくとも中央域Ｓ１に配置されている。吸収体３０は、中央域Ｓ１から前側域Ｓ２及び／又は後側域Ｓ３に延びていてよい。吸収体３０は、液体を吸収する吸収材料からなる吸収コア３１と、吸収コア３１を包むコアラップ３２と、を有する。吸収コア３１を構成する吸収材料は、例えば、親水性繊維、パルプ及び高吸水性高分子（ＳＡＰ）から形成できる。
【００２５】
前述したように、吸収性物品１は、ウイング３及びヒップフラップ４を有する。ウイング３及びヒップフラップ４は、中央域Ｓ１における吸収コア３１の外側縁よりも幅方向Ｗの外側に延出している。
【００２６】
ウイング３及びヒップフラップ４は、サイドシート１２と非肌面シート２０との積層によって構成されていてよい。ウイング３は、非肌面シート２０側に折り返し可能に構成されている。ウイング３は、使用時に下着の股下部の非肌面側に折り返される。
【００２７】
（２）吸収体の詳細構成
次に、図１〜図６を参照し、吸収体３０の構成についてより具体的に説明する。図４は、一実施形態における吸収体３０の平面図である。図５は、図１の５Ａ−５Ａ線に沿った吸収性物品の断面図である。図６は、図１の６Ａ−６Ａ線に沿った吸収性物品の断面図である。
【００２８】
吸収体３０は、幅方向における中央域Ｓ１の中央部に中高部３３を有する。中高部３３は、中央域Ｓ１から前側域Ｓ２へ延びていてもよい。中高部３３は、中央域Ｓ１において、吸収性物品１の幅方向における中心を結ぶ中心線ＣＬを跨いで配置されている。中高部３３の厚みは、幅方向Ｗにおける中央域Ｓ１の両端部の厚みよりも厚い。
【００２９】
中高部３３の吸収材料の目付は、中央域Ｓ１内の中高部３３以外の領域における吸収コア３１の目付よりも高くてもよい。中高部３３は、後述する第１低目付領域４１に隣接していてよい。好ましくは、第１低目付領域４１の後側の吸収コア３１は、中高部３３の厚みよりも薄い。より好ましくは、後側域Ｓ３全体の吸収コア３１は、中高部３３の厚みよりも薄い。中高部３３は、最も厚みが厚い最高部と、最高部へ繋がる傾斜部と、を有する。この傾斜部は、最高部と後述の前側圧搾部８１との間、及び最高部と第１低目付領域４１との間に配置されていてよい。
【００３０】
吸収体３０は、第１低目付領域４１、第２低目付領域４２及び第３低目付領域４３を有していてよい。ここで、「低目付領域」は、その周囲の吸収コア３１よりも低い目付を有する吸収コア３１からなる領域、又は吸収コア３１を有していない領域を意味する。このように、「低目付領域」は、吸収コア３１の目付が零である領域を含む概念である。
【００３１】
低目付領域４１〜４３における吸収コア３１の目付は、好ましくは１５０ｇ／ｍ２以下、より好ましくは、１００ｇ／ｍ２以下である。また、低目付領域４１〜４３における吸収コア３１の目付は、実質的に０ｇ／ｍ２であることがさらに好ましい。また、低目付領域４１〜４３における吸収コア３１の目付は、低目付領域４１〜４３のまわりの吸収コア（中高部を除く）の目付の６０％以下であることが好ましく、５０％以下であることがより好ましい。
【００３２】
「低目付領域」が吸収コア３１を有していない領域である場合でも、コアラップ３２は、低目付領域４１，４２，４３を跨いで吸収コア３１全体を包んでいてよい。この場合、吸収コア３１が複数の領域に分断されていたとしても、吸収体３０は、コアラップ３２によって一体的に形成される。コアラップ３２が一体的に形成されていると、互いに分断された吸収コア３１を別々のラップで巻く場合と比較して、製造工程を簡略化することができる。
【００３３】
第１低目付領域４１、第２低目付領域４２及び第３低目付領域４３の境界は、吸収体３０の剛性が変化する境目となる。したがって、第１低目付領域４１、第２低目付領域４２及び第３低目付領域４３は、吸収体３０が変形し易い領域に相当する。
【００３４】
第１低目付領域４１は、前後方向Ｌにおけるウイング３の中心よりも後側かつ吸収体３０の後側縁よりも前側に設けられていてよい。第１低目付領域４１は、前後方向Ｌにおいて、ウイング３の後端縁を跨ぐように設けられていてもよい。着用者が、生理用ナプキンのような吸収性物品が取り付けられたショーツを履いたとき、中央域Ｓ１は、着用者の両脚から、吸収性物品１を幅方向に圧縮するような力を受ける。中央域Ｓ１と後側域Ｓ３との間の第１低目付領域４１は、この力が後側域Ｓ３へ伝わることを抑制する。これにより、後側域Ｓ３は、中央域Ｓ１とは独立に変形可能になり、着用者の臀部の形に合わせて変形することができる。
【００３５】
また、着用者が寝た姿勢において、臀部の一部が押し潰される。この臀部の変形は、中央域Ｓ１と後側域Ｓ３と間の第１低目付領域４１で起こる。第１低目付領域４１は、寝た姿勢における着用者の臀部の変形を吸収し、中央域Ｓ１の後方には臀部の変形を吸収した段差が形成される。これにより、着用者が寝た姿勢において、臀部の変形により臀部と吸収性物品の第１低目付領域付近との間で隙間ができることを抑制することができる。さらに、第１低目付領域４１よりも前側の中央域Ｓ１を着用者の排泄口にフィットさせ、かつ第１低目付領域４１よりも後側の後側域Ｓ３を着用者の臀部（特に床面に接する部分）にフィットさせることができる。よって、着用者の体液が着用者の身体を中央域Ｓ１から後側域Ｓ３の方へ伝わることを抑制でき、体液の漏れを抑制することができる。
【００３６】
第１低目付領域４１は、第１低目付領域４１の幅方向Ｗの中央が後方に突出した曲線形状であってよい。より詳細には、第１低目付領域４１の幅方向Ｗの中心は、第１低目付領域４１の外側縁よりも後方に位置する。これにより、中央域Ｓ１に対して後側域Ｓ３が立ち上がった状態（着用状態）において、後側域Ｓ３が、排泄口当接域Ｓ１に対して回転するような変形をし易くなる。これにより、中央域Ｓ１と後側域Ｓ３とが独立して変形し易くなる。
【００３７】
好ましくは、幅方向Ｗにおける第１低目付領域４１の長さは、２５ｍｍ以上である。これにより、中央域Ｓ１における吸収体３０の動きが、後側域Ｓ３に伝わることを抑制できる。より好ましくは、第１低目付領域４１は、幅方向Ｗにおいて、吸収体３０の一端から他端まで延びている。この場合、第１低目付領域４１の前端縁が中央域Ｓ１の後端縁を規定していてもよく、第１低目付領域４１の後端縁が後側域Ｓ３の前端縁を規定していてもよい。
【００３８】
前後方向Ｌにおける第１低目付領域４１の長さは、第１低目付領域４１に隣接する吸収コアの厚みの最も厚い部分よりも広いことが好ましい。前後方向Ｌにおける第１低目付領域４１の長さは、吸収性物品１の中心線ＣＬの位置で、好ましくは１０ｍｍ以上かつ５０ｍｍ以下であり、より好ましくは１０ｍｍ以上かつ３０ｍｍ以下である。また、前後方向Ｌにおける第１低目付領域４１の長さは、幅方向における任意の位置で、好ましくは１０ｍｍ以上かつ５０ｍｍ以下であり、より好ましくは１０ｍｍ以上かつ３０ｍｍ以下である。このように、第１低目付領域４１の前後方向Ｌにおける幅を大きくすることで、吸収性物品を前後方向Ｌに圧縮するような力が加わったときに、中央域Ｓ１の一部に重なるように後側域Ｓ３が変形することができるようになる。このような変形により、中央域Ｓ１に加えられた力が後側域Ｓ３へ伝わることをより抑制することができる。これにより、後側域Ｓ３は中央域Ｓ１とは独立に変形可能になり、着用者の動作中であっても、後側域Ｓ３と中央域Ｓ１とを着用者の身体の形に合わせてフィットさせ続けることができる。
【００３９】
第２低目付領域４２は、後側域Ｓ３において、吸収性物品の中心線ＣＬに沿って前後方向Ｌに延びている。第２低目付領域４２は、前後方向Ｌに直線的に延びていてよい。そのため、吸収性物品の外側から内側に向かう力により、幅方向Ｗにおける後側域Ｓ３の中心は、着用者の体に向けて突出し易い（図８参照）。これにより、後側域Ｓ３では、吸収性物品１は、着用者の臀裂の形状に合わせて変形することができる。
【００４０】
第２低目付領域４２は、第１低目付領域４１と繋がっていることが好ましい。これにより、会陰部からその後方の領域にわたって、第２低目付領域４２は、着用者の臀裂の形状に合わせて凸形状になり得る。その結果、着用者は、臀部においても、吸収性物品１との心地よいフィット感を得られる。
【００４１】
第２低目付領域４２の後端縁は、前後方向における後側域Ｓ３の中心よりも後側に位置していてよい。また、第２低目付領域４２の後端縁は、ヒップフラップ４の最大幅の位置Ｐ１よりも後側に位置していてもよい。第２低目付領域４２の前後方向Ｌの長さは、１２０ｍｍ以上であることが好ましく、１５０ｍｍ以上であることがより好ましい。特に、後側域Ｓ３の前後方向Ｌの長さが中央域Ｓ１の前後方向Ｌの長さよりも長くなっている吸収性物品において、前述のように第２低目付領域４２の前後方向の長さを長くすることで、後側域Ｓ３を着用者の臀裂全体にフィットさせることができる。
【００４２】
製造中のばらつき（誤差）が生じたとしても確実に第２低目付領域４２ができるようにするため、幅方向Ｗにおける第２低目付領域４２の長さは、１ｍｍ以上であることが好ましい。体液の吸収性能が低いのでないかという不安感を着用者に与えることを防止するため、幅方向Ｗにおける第２低目付領域４２の長さは、１５ｍｍ以下であることが好ましい。
【００４３】
着用者の身体の前後方向Ｌに沿った断面において、臀部間の溝（臀裂）は、会陰部よりも後方から尾てい骨に至る領域に存在する。吸収性物品の使用中に、第２低目付領域４２は、着用者の臀裂の領域に配置される。
【００４４】
第３低目付領域４３は、後側域Ｓ３において、第２低目付領域４２から幅方向Ｗの外側に延びている。第３低目付領域４３は、第２低目付領域４２に繋がっていてよい。第３低目付領域４３の前側の縁線は、幅方向Ｗの内側において、幅方向Ｗに実質的に平行に延びていてよい。また、第３低目付領域４３の前側の縁線は、幅方向Ｗの外側において、前方に張り出していてよい。第３低目付領域４３の後側の縁線は、幅方向Ｗの内側から外側に向かうにつれて、前方に傾斜していてよい。このように第３低目付領域４３が傾斜していると、後側域Ｓ３の中心が着用者の臀裂に合わせて突出していたとしても、後側域Ｓ３を着用者の臀部の丸みに合わせて変形させ易くすることができる。
【００４５】
幅方向Ｗにおける第３低目付領域４３の外側縁は、後側域Ｓ３の吸収コア３１の外側縁よりも内側に位置する。第３低目付領域４３は、前後方向Ｌに間隔を空けて複数設けられていてよい。これにより、後側域Ｓ３を着用者の臀部の丸みに合わせてより変形させ易くすることができる。
本明細書における「吸収体の厚さ」の測定は、以下の測定方法によって行われるものとする。
【００４６】
吸収性物品１がパッケージなどに封入されている場合には、パッケージから取り出し、その状態にて20℃±2℃、相対湿度60％±5％RHの雰囲気下において12時間放置したサンプルを用いる。
【００４７】
測定位置は、吸収体の製品幅方向中央部とする。測定する際は、吸収性物品が縮んだ状態ではなく、吸収性物品の伸縮性部材を伸張させた状態として測定する。また、肌面シート及び非肌面シート等、吸収体以外の部分を取り除く。尾崎製作所（株）製のダイアルゲージＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、「長さ」と規定する。
【００４８】
吸収性物品１は、吸収コア３１よりも肌面側のシートと吸収コア３１よりも非肌面側のシートとを、互いに圧着した圧着部５１，５２，５３を有していてよい（図４参照）。前後方向Ｌにおける第１圧着部５１の幅は、前後方向Ｌにおける第１低目付領域４１の幅よりも小さいことが好ましい。また、第１圧着部５１は、幅方向Ｗに沿って、吸収体３０の一端から他端まで連続的に延びていることが好ましい。
【００４９】
第２圧着部５２は、第２低目付領域４２に沿って前後方向Ｌに延びている。幅方向Ｗにおける第２圧着部５２の幅は、幅方向Ｗにおける第２低目付領域４２の幅よりも小さいことが好ましい。第２圧着部５２は、第１圧着部５１と繋がっていてよい。
【００５０】
第３圧着部５３は、第３低目付領域４３に沿って延びている。前後方向Ｌにおける第３圧着部５３の幅は、前後方向Ｌにおける第３低目付領域４３の幅よりも小さいことが好ましい。第３圧着部５３は、第２圧着部５２と繋がっていてよい。
【００５１】
第１圧着部５１、第２圧着部５２及び第３圧着部５３により、吸収コアを構成する吸収材料が、第１低目付領域４１、第２低目付領域４２及び第３低目付領域４３を通って移動することを抑制することができる。これにより、吸収コア３１の形状を長期間維持することができる。吸収コア３１が長時間よれにくくなり、一晩中よれにくい吸収性物品を提供することができるようになる。
【００５２】
第１圧着部５１、第２圧着部５２及び／又は第３圧着部５３は、肌面シート１０には形成されていないことが好ましい。より具体的には、第１圧着部５１、第２圧着部５２及び／又は第３圧着部５３は、コアラップ３２のみ、又は吸収コア３１とコアラップ３２のみを圧着することによって形成されていることが好ましい。言い換えると、第１圧着部５１、第２圧着部５２及び／又は第３圧着部５３は、肌面シート１０に形成されないことが好ましい。これにより、肌面シート１０を傷つけることがなくなり、肌面シート１０の肌触りをより向上させることができる。
【００５３】
低目付領域４１，４２，４３に吸収コア３１が存在する場合、圧着部５１，５２，５３は、低目付領域４１，４２，４３の吸収コア３１とコアラップ３２とを一緒に圧着した部分であってよい。低目付領域４１，４２，４３に吸収コアが存在しない場合には、圧着部５１，５２，５３は、コアラップ３２のみを圧着した部分であってよい。この場合、吸収コア３１は、低目付領域４１，４２，４３及び圧着部５１，５２，５３を境に、互いに分断される。
【００５４】
圧着部５１，５２，５３は、エンボス加工によって形成することができる。なお、圧着部５１，５２，５３は、肌面シート１０で覆われているため、外部から視認できない又は視認し難くなっている。
【００５５】
吸収性物品１は、少なくとも吸収コア３１が厚み方向Ｔに圧縮されることによって形成された圧搾部を有していてよい。この圧搾部は、前側圧搾部８１と、長手圧搾部８２と、一対の後側圧搾部８４と、を有していてよい（図１及び図４参照）。
【００５６】
前側圧搾部８１は、少なくとも中央域Ｓ１に設けられている。前側圧搾部８１は、中央域Ｓ１から前側域Ｓ２へ延びていてもよい。前側圧搾部８１は、表面シート１１と吸収コア３１とコアラップ３２とが厚み方向Ｔに圧縮されることによって形成されていてよい。前側圧搾部８１は、中高部３３の幅方向Ｗ両側に設けられた前後方向Ｌに沿った区間を有する。前側圧搾部８１は、中高部３３の幅方向Ｗにおける側縁を規定していてよい。
【００５７】
前側圧搾部８１は、吸収コア３１の前端縁付近で幅方向Ｗに向かって曲がっており、Ｕ字型に連続的に繋がっている。この代わりに、前側圧搾部８１は、中高部３３の幅方向Ｗ両側に、別個に設けられていてもよい。すなわち、一対の前側圧搾部８１が、互いに分断された形態で、別個に設けられていてもよい。
【００５８】
長手圧搾部８２は、後側域Ｓ３で、中心線ＣＬ、より具体的には第２低目付領域４２を挟んで両側に設けられている。長手圧搾部８２は、吸収体３０と表面シート１１とが厚み方向に圧縮されることによって形成されていてよい。
【００５９】
長手圧搾部８２は、前後方向Ｌに沿って延びている。長手圧搾部８２は、前後方向Ｌに直線的に延びていてもよいし、前後方向Ｌに対して傾斜して曲線的に延びていてもよい。長手圧搾部８２は、ヒップフラップ４の最大幅の位置Ｐ１よりも前側に形成されていてよい。一対の長手圧搾部８２は、比較的剛性が高いため、吸収コア３１の変形の基点となる。一対の長手圧搾部８２の間に挟まれた第２低目付領域４２は、より着用者の身体側に隆起し易くなる。これにより、より着用者の身体になじみ、着用者に対してより心地よいフィット感を与えることができる吸収性物品を提供することができる。
【００６０】
長手圧搾部８２は、第１低目付領域４１に達していないことが好ましい。すなわち、前側圧搾部８１及び長手圧搾部８２は、第１低目付領域４１のところで互いに分断されていてよい。剛性が比較的高い前側圧搾部８１と長手圧搾部８２が第１低目付領域４１のところで互いに分断されるため、第１低目付領域４１がより柔軟に変形し易くなる。これにより、前述したような中央域Ｓ１及び後側域Ｓ３とを互いに独立に着用者の身体にフィットさせる効果をより発揮させることができる。
【００６１】
一対の後側圧搾部８４は、後側域Ｓ３で、中心線ＣＬを挟んで両側に設けられている。後側圧搾部８４は、吸収体３０と表面シート１１とが厚み方向に圧縮されることによって形成されていてよい。一対の後側圧搾部８４は、吸収性物品の幅方向Ｗの中心を通る中心線ＣＬを挟んで互いに離間して設けられている。一対の後側圧搾部８４は、ヒップフラップ４の最大幅の位置Ｐ１よりも後側に位置していてよい。長手圧搾部８２及び後側圧搾部８４は、互いに繋がっておらず、例えば少なくともヒップフラップ４の最大幅Ｐ１の位置で互いに分断されていることが好ましい。
【００６２】
一対の後側圧搾部８４は、仙骨付近に対向する領域と、臀部の肉厚部に対向する部分との間を仕切るように配置されている。臀部は比較的激しく動くため、吸収性物品１の臀部に対向する部分も着用者の動きに応じて動きやすい。この吸収性物品１の移動は、比較的剛性の高い一対の後側圧搾部８４によって、仙骨に対向する領域に伝わりにくくなっている。特に、長手圧搾部８２及び後側圧搾部８４が互いに繋がっていないため、一対の長手圧搾部８２間で着用者の臀裂に向けて突出する変形が、圧搾部を介して一対の後側圧搾部８４間の領域に伝わることを抑制できる。その結果、一対の後側圧搾部８４間の領域を比較的平坦な面に維持することができる。これにより、着用者の仙骨付近の肌に与える影響を軽減することができる。
【００６３】
吸収コア３１を包むコアラップ３２は、吸収コア３１の肌面側に設けられた第１ラップシート３２ａと、吸収コア３１の非肌面側に設けられた第２ラップシート３２ｂと、を有する。
【００６４】
第１ラップシート３２ａ及び第２ラップシート３２ｂは、不織布から構成されていてよい。第１ラップシート３２ａは、例えば、エアスルー不織布から構成されていてよい。第２ラップシート３２ｂは、例えば、ＳＭＳ不織布から構成されていてよい。この代わりに、第１ラップシート３２ａと第２ラップシート３２ｂは、同一のシートから構成されていてもよい。
【００６５】
一般に、不織布は、ある程度伸縮可能である。そのため、第１ラップシート３２ａ及び第２ラップシート３２ｂに前側圧搾部８１及び長手圧搾部８２が形成されたとしても、第１ラップシート３２ａ及び第２ラップシート３２ｂは破れにくい。これにより、コアラップ３２は、吸収コア３１の形状を長時間維持した状態で、吸収コア３１を包むことができる。したがって、長時間身体にフィットし続ける吸収性物品を提供することができる。
【００６６】
第２ラップシート３２ｂは、疎水性を有していてよい。これにより、吸収コア３１に吸収された液体が、第２ラップシート３２ｂを通って漏れることを抑制することができる。この代わりに、第２ラップシート３２ｂは親水性を有していてもよい。
【００６７】
幅方向Ｗにおける第１ラップシート３２ａの端部３２ｅは、幅方向Ｗにおける吸収コア３１の端部のところで、吸収コア３１の非肌面側に折り返されて、吸収コア３１の非肌面側で第２ラップシート３２ｂと重なっている。第１ラップシート３２ａの折り返し部分と第２ラップシート３２ｂとの重複領域Ｏが、図２に点線で示されている。
【００６８】
第１ラップシート３２ａと第２ラップシート３２ｂとは、重複領域Ｏにおいて互いに接合されている。第１ラップシート３２ａの折り返し部分は、第２ラップシート３２ｂよりも非肌面側に位置する。この代わりに、第１ラップシート３２ａの折り返し部分は、第２ラップシート３２ｂよりも肌面側に位置していてもよい。
【００６９】
第１ラップシート３２ａの端部３２ｅは、吸収コア３１の非肌面側で、前側圧搾部８１の位置に達している。第１ラップシート３２ａの端部３２ｅは、少なくとも部分的に前側圧搾部８１の位置に達していればよい。
【００７０】
着用者が、生理用ナプキンのような吸収性物品が取り付けられたショーツを履いたとき、中央域Ｓ１は、着用者の両脚から、吸収性物品１を幅方向Ｗに圧縮するような力を受ける。この力は、中央域Ｓ１に設けられた前側圧搾部８１にかかる。前側圧搾部８１は、吸収体３０の圧搾されていない部分の剛性よりも高い剛性を有する。そのため、幅方向Ｗ外側から内側へ向けた力を受けた前側圧搾部８１は、中高部３３を幅方向Ｗに圧縮する。これにより、中高部３３が着用者の身体と密着するように凸状に変形する（図７参照）。
【００７１】
ここで、第１ラップシート３２ａの端部３２ｅは、吸収コアの非肌面側で、圧搾部８１の位置に達しているため、吸収体３０の非肌面側において、圧搾部８１のところで、第１ラップシート３２ａと第２ラップシート３２ｂとが重複している。したがって、前側圧搾部８１が存在する領域の剛性がさらに増大する。その結果、幅方向Ｗの外側から内側にかかる力が、前側圧搾部８１まで途切れることなく伝わり、前側圧搾部８１に伝わった力が中高部３３を幅方向Ｗに圧縮する。そのため、中高部３３を着用者の身体とより密着するように凸状に変形させることができる。これにより、長時間身体にフィットし続ける吸収性物品を提供することができる。着用者は、自分の身体にフィットしているというより高い安心感を得ることができる。
【００７２】
また、第１ラップシート３２ａの両端部３２ｅが、幅方向Ｗにおける吸収コア３１の端部のところで吸収コア３１の非肌面側に折り返され、吸収コアの非肌面側で圧搾部８１の位置に達していることが好ましい。より好ましくは、第１ラップシート３２ａの両端部３２ｅは、中心線ＣＬに対して左右対称となっている。これにより、幅方向Ｗの外側から内側にかかる力が、中高部３３に対して中心線ＣＬを挟んで左右均等にかかり、中高部３３が左右対称な凸形状に変形し易くなる。さらに、中高部３３に対して左右均等に力がかかるため、左右不均等に力がかかる場合と比較して、吸収コア３１が長時間よれにくくなる。
【００７３】
また、第１ラップシート３２ａの端部３２ｅは、幅方向Ｗにおける吸収コア３１の端部のところで、吸収コア３１の非肌面側に折り返されているため、第１ラップシート３２ａと第２ラップシート３２ｂとの接合部は、吸収体３０の非肌面側に配置されることができ、吸収体３０の肌面側に配置される必要がなくなる。この場合、吸収体３０より肌面側に設けられた肌面シート１０の表面の肌触りをより均一にすることができる。すなわち、着用者の肌に接する肌面シート１０の表面の平滑性を向上させることができ、肌に優しい吸収性物品を提供することができる。
【００７４】
肌面シート１０は、１枚のシートから構成されていることがより好ましい。中央域Ｓ１に幅方向Ｗ外側から内側に力をかけられると、圧搾部８１よりも外側の肌面側が変形することになる。この場合であっても、肌面シート１０が１枚のシートから構成されていると、中央域Ｓ１の肌面側の肌触りを均一にすることができる。
【００７５】
さらに、幅方向Ｗにおける中央域Ｓ１の端部の吸収コア３１は、巻かれた第１ラップシート３２ａと、圧搾部８１とによって、しっかりと保持される。これにより、幅方向Ｗにおける中央域Ｓ１の端部の吸収コア３１の形状が崩れることを抑制することができる。特に、幅方向Ｗにおける中央域Ｓ１の端部の吸収コア３１は、幅方向外側から内側への力により変形し易い部分である。さらに、吸収性物品がいわゆる夜用のナプキンである場合には、着用者の寝返り等によって、幅方向Ｗにおける中央域Ｓ１の端部の吸収コア３１は、何度も変形し得る。このように、幅方向外側から内側への力を何度も受ける幅方向Ｗにおける中央域Ｓ１の端部の吸収コア３１をしっかりと保持することで、幅方向Ｗにおける中央域Ｓ１の端部の吸収コア３１の形状が崩れることを抑制することができる。
【００７６】
第１ラップシート３２ａの端部３２ｅは、吸収コア３１の非肌面側で、中高部３３の最も厚みが大きい最高部に達していないことが好ましい。すなわち、第１ラップシート３２ａの端部３２ｅは、吸収体３０の非肌面側において、中高部３３の最高部と前側圧搾部８１との間に位置していてよい。本構成によれば、中高部３３の最も厚みが大きい部分と圧搾部８１との間の位置が吸収体３０の変形基点になりやすい。したがって、中高部３３が着用者の身体とより密着するように凸状に変形し易くすることができる。
【００７７】
第１ラップシート３２ａの端部３２ｅは、少なくとも中央域Ｓ１において、非肌面側に折り返されていればよい。この代わりに、第１ラップシート３２ａの端部３２ｅは、前後方向Ｌ全体において、非肌面側に折り返されていてもよい。この場合、第１ラップシート３２ａの端部３２ｅは、後側域Ｓ３における非肌面側で、長手圧搾部８２の位置に達していてもよい。ただし、第１ラップシート３２ａの端部３２ｅは、後側域Ｓ３における非肌面側で、第２低目付領域４２に達していないことが好ましい。特に、後側域Ｓ３の第２低目付領域４２の非肌面側に第１ラップシート３２ａがない場合、第２低目付領域４２と、幅方向Ｗにおける第２低目付領域４２の外側の領域との剛性差が高くなる。これにより、後側域Ｓ３が、着用者の臀裂に向けてより突出し易くなり、着用者はよりフィット感を得られる。
【００７８】
第１ラップシート３２ａと第２ラップシート３２ｂの少なくとも一方は、少なくとも、吸収体３０の非肌面側における前側圧搾部８１の領域に、熱可塑性樹脂を含んでいる。本実施形態では、第２ラップシート３２ｂが熱可塑性樹脂を含んでいる。熱可塑性樹脂としては、例えばポリプロピレンを挙げることができる。
【００７９】
第１ラップシート３２ａと第２ラップシート３２ｂの少なくとも一方が熱可塑性樹脂を含んでいるため、前側圧搾部８１及び／又は長手圧搾部８２を形成するときの熱により、第１ラップシート３２ａと第２ラップシート３２ｂとが圧搾部８１のところで互いに溶着される。これにより、コアラップ３２は吸収コア３１をしっかりと保持することができるので、吸収コア３１の形状が崩れにくくなる。
【００８０】
（３）粘着領域
図２に示すように、吸収性物品１は、吸収性物品１を下着Ｓに止めるための粘着剤が設けられた第１本体粘着領域６１、第２本体粘着領域６２、ウイング粘着領域６３及びヒップフラップ粘着領域６４を有する。これらの粘着領域６１〜６４は、非肌面シート２０の非肌面側に設けられている。粘着領域６１〜６４は、使用前の状態において、剥離シートによって覆われていてもよい。剥離シートは、使用前に粘着領域６１〜６４の粘着剤の劣化を防止する。剥離シートは、使用時に、着用者によって取り外される。
【００８１】
第１本体粘着領域６１は、第２本体粘着領域６２よりも前方に配置されている。第１本体粘着領域６１及び第２本体粘着領域６２は、前後方向Ｌに延びている。第１本体粘着領域６１は、第１低目付領域４１よりも前側で、中央域Ｓ１と前側域Ｓ２に跨って配置されていてよい。第２本体粘着領域６２は、第１低目付領域４１よりも後側で、後側域Ｓ３に配置されている。第１本体粘着領域６１及び第２本体粘着領域６２は、中心線ＣＬ上に設けられていないことが好ましい。ウイング粘着領域６３はウイング３に設けられている。ヒップフラップ粘着領域６４はヒップフラップ４に設けられている。ヒップフラップ粘着領域６４は、下着からの力を一対の長手圧搾部８２へ伝え易くすることができる。
【００８２】
第１低目付領域４１は、厚み方向Ｔにおいて、粘着領域６１〜６４と重ならない領域に配置されていることが好ましい。より具体的には、第１低目付領域４１は、第１本体粘着領域６１と第２本体粘着領域６２との間の領域に設けられている。言い換えると、第１本体粘着領域６１及び第２本体粘着領域６２は、前後方向Ｌに延びているが、第１低目付領域４１のところで互いに分断されている。これにより、第１低目付領域４１は、下着に直接止められないので、自由に変形できる。よって、中央域Ｓ１及び後側域Ｓ３が下着と共に変形した場合であっても、当該下着から伝わる力を第１低目付領域４１で効果的に分断することができる。これにより、着用者の動作中であっても、中央域Ｓ１及び後側域Ｓ３を着用者の身体に密着させ続けることができる。
【００８３】
第２低目付領域４２は、厚み方向Ｔにおいて、粘着領域６１〜６４と重ならない領域に配置されていることが好ましい。より具体的には、第２低目付領域４２は、複数の第２本体粘着領域６２どうしの間に設けられている。
【００８４】
一対の長手圧搾部８２は、第２本体粘着領域６２と重なる領域に設けられていることが好ましい。これにより、下着から第２本体粘着領域６２を介して一対の長手圧搾部８２へ力が伝わり易くなる。その結果、後側域Ｓ３の中心をより着用者の臀裂に合わせてフィットさせ易くなる。
【００８５】
粘着領域６１，６２，６３，６４は、吸収体３０の非肌面側で第１ラップシート３２ａと第２ラップシート３２ｂとが重複した重複領域Ｏに存在し、中高部３３の最も厚みが大きい部分に達していないことが好ましい。第１ラップシート３２ａと第２ラップシート３２ｂとの重複領域Ｏのところで、吸収性物品１が直接ショーツに取り付けられる。そのため、下着から受ける、幅方向Ｗの内側から外側へ向かう力を、より効果的に中高部３３へ伝えることができる。これにより、中高部３３を着用者の身体へよりフィットさせることができる（図７も参照）。
【００８６】
（４）着用中の吸収性物品
次いで、このように構成された吸収性物品１の装着状態を説明する。図６は、吸収性物品１が着用者に装着された状態の図１の５Ａ−５Ａ断面を基準とした断面図である。図７は、吸収性物品１が着用者に装着された状態の図１の６Ａ−６Ａ断面を基準とした断面図である。
【００８７】
生理用ナプキンとしての吸収性物品１を着用する際、吸収性物品１は下着Ｓに固定される。吸収性物品１の中央域Ｓ１は、着用者の両足によって挟まれ、幅方向Ｗの外側から幅方向Ｗの内側に向かう力を受ける。この力により、中央域Ｓ１が着用者の排泄口付近にフィットするように持ち上がる（図７参照）。
【００８８】
着用者の大陰唇より後方に位置する会陰部よりも後方には、肛門や臀裂が位置する。この会陰部よりも後方近辺の身体の断面形状は、幅方向の中心が窪んだ形状である。この着用者の臀部に、吸収性物品の後側域Ｓ３が対向して配置される。
【００８９】
後側域Ｓ３では、中心線ＣＬに沿って前後方向Ｌに延びる第２低目付領域４２が形成されている。そのため、吸収性物品の外側から内側に向かう力により、幅方向Ｗにおける後側域Ｓ３の中心は、着用者の体に向けて突出し易い（図８参照）。これにより、後側域Ｓ３では、吸収性物品１は、着用者の臀裂の形状に合わせて変形することができる。その結果、着用者は、臀部においても、吸収性物品１との心地よいフィット感を得られる。
【００９０】
ここで、第２低目付領域４２の前後方向Ｌの長さは、１２０ｍｍ以上であることが好ましく、１５０ｍｍ以上であることがより好ましい。これにより、着用者の会陰部から尾てい骨に至るまで、着用者の臀裂に後側域Ｓ３を沿わせることができる。
【００９１】
また、ヒップフラップ粘着領域６４がヒップフラップ４に設けられている場合、下着からヒップフラップ粘着領域６４を介して吸収性物品の後側域Ｓ３を幅方向Ｗにおける中央に向けて圧縮するような力が加わり易くなる。これにより、幅方向Ｗにおける後側域Ｓ３の中心が着用者の臀裂に向けてより突出し易くなる。
【００９２】
長手圧搾部８２及び後側圧搾部８４は、互いに繋がっておらず、例えば少なくともヒップフラップ４の最大幅Ｐ１の位置で互いに分断されていることが好ましい。これにより、一対の長手圧搾部８２に加わった力が、一対の後側圧搾部８４に挟まれた領域へ伝わることを抑制することができる。その結果、後側域Ｓ３において、一対の長手圧搾部８２間の領域を着用者の臀裂に向けて突出させる一方で、一対の後側圧搾部８４間の領域を比較的平坦な形状にすることができる。
【００９３】
着用中の吸収性物品は、前後方向Ｌにおいては、着用者のおしりの丸みに沿って全体的に丸い形状になる。しかしながら、前述のように、後側域Ｓ３の中央が着用者の臀裂に沿って突出している場合、着用者のおしりの丸みに沿って丸く変形し難くなることがある。ここで、第２低目付領域４２から外側へ延びる第３低目付領域４３が形成されていれば、後側域Ｓ３の中央が着用者の臀裂に沿って突出していたとしても、着用者のおしりの丸みに応じて、後側域Ｓ３が前後方向Ｌに丸く変形し易くなる。
【００９４】
さらに、第３低目付領域４３の後側の縁線は、幅方向Ｗの内側から外側に向かうにつれて、前方に傾斜していることが好ましい。これにより、後側域Ｓ３の中央が着用者の臀裂に沿って突出しているときに、後側域Ｓ３が着用者の臀部の形状にフィットするように前後方向Ｌに丸く変形し易くなる。
【００９５】
一実施形態に係る吸収性物品によれば、第１低目付領域４１の吸収材料の目付は、そのまわりの吸収材料の目付よりも小さい。これにより、中央域Ｓ１に受けた力が後側域Ｓ３へ伝わることが抑制され、逆に後側域Ｓ３に受けた力が中央域Ｓ１へ伝わることが抑制される。さらに、前後方向Ｌにおける第１低目付領域４１の長さは、第１低目付領域４１に隣接する部分の吸収体のうち最も厚いところよりも長い。具体的には、前後方向Ｌにおける第１低目付領域４１の長さは、１０ｍｍ以上５０ｍｍ以下であることが好ましい。このように、前後方向Ｌにおける第１低目付領域４１の長さが比較的長いため、後側域Ｓ３の吸収コアが中央域Ｓ１の吸収コア上に重なるように変形することができる。また、後側域Ｓ３の吸収コアが中央域Ｓ１の吸収コア下に重なるように変形することも可能である。さらに、後側域Ｓ３が、概ね中央域Ｓ１の中心を軸にして、左右に所定の角度回転するように変形することも可能となる。なお、このように変形させ易くするために、第１低目付領域４１は、幅方向Ｗにおける一端から他端まで延びていることが好ましい。
【００９６】
例えば着用者が寝た状態で寝返りをうつ際、着用者は、先に着用者の上半身、又は下半身を捩るように動く。この動きにより、吸収性物品の後側域Ｓ３が、中央域Ｓ１に対して相対的に捻じれる、又は回転するように変形することがある。この場合であっても、上述したように第１低目付領域４１の長さが比較的長いため、中央域Ｓ１と後側域Ｓ３とが独立して変形し、中央域Ｓ１と後側域Ｓ３とがそれぞれ着用者の体にフィットした状態を維持することができる。すなわち、着用者の動作中であっても、中央域Ｓ１が排泄口付近に、後側域Ｓ３が臀部にフィットした状態を維持し続ける。
【００９７】
また、吸収性物品が第１低目付領域４１のところで捻れ易くするためには、第１低目付領域４１は、第１低目付領域４１の幅方向Ｗの中央が後方に突出した曲線形状であることが好ましい。これにより、吸収性物品全体が着用者のおしりの丸みに合わせて湾曲している場合であっても、第１低目付領域４１の幅方向外側で、第１低目付領域４１を挟んで向かう合う吸収コア３１どうしが衝突し難くなる。その結果、吸収性物品が第１低目付領域４１のところでより捻れ易くなる。
【００９８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９９】
１        ：吸収性物品
１０      ：肌面シート
２０      ：非肌面シート
３０      ：吸収体
３１      ：吸収コア
３２      ：コアラップ
３２ａ    ：第１ラップシート
３２ｂ    ：第２ラップシート
３３      ：中高部
４１      ：第１低目付領域
４２      ：第２低目付領域
４３      ：第３低目付領域
５１      ：第１圧着部
５２      ：第２圧着部
５３      ：第３圧着部
６１      ：第１本体粘着領域
６２      ：第２本体粘着領域
６３      ：ウイング粘着領域
６４      ：ヒップフラップ粘着領域
８１      ：前側圧搾部
８２      ：長手圧搾部
８４      ：後側圧搾部
Ｌ        ：前後方向
Ｗ        ：幅方向
Ｔ        ：厚み方向
Ｏ        ：重複領域
Ｓ１      ：中央域
Ｓ２      ：前側域
Ｓ３      ：後側域
ＣＬ      ：中心線
【図１】
0006352235.tif 000002
【図２】
0006352235.tif 000003
【図３】
0006352235.tif 000004
【図４】
0006352235.tif 000005
【図５】
0006352235.tif 000006
【図６】
0006352235.tif 000007
【図７】
0006352235.tif 000008
【図８】
0006352235.tif 000009